(57)【特許請求の範囲】
【請求項１】
分草杆部（２）とスピンバー部（３）から構成され、
分草杆部（２）は、分草杆取付け縦金具（２Ａ）と、分草杆元金具（２Ｂ）と、分草杆本体（２Ｃ）と、先端連結板（２Ｄ）と、ガイド棒（２Ｅ）と、分草補助ガイド棒部（２Ｆ）から構成され、分草杆取付け縦金具（２Ａ）は、作業機（２Ａ１）の先端中央に立設された取付け縦金具体（２Ａ２）と、この取付け縦金具体の上端に設けられたガイド受け（２Ａ２１）から構成され、分草杆元金具（２Ｂ）は、取付け縦金具体（２Ａ２）の下端に、作業機の進行方向に延出するよう構成された所定長さの棒（２Ｅ１）を当該作業機の進行方向と直交する方向の第１支点ピン（Ｐ１）で連結して構成され、分草杆本体（２Ｃ）は、分草杆元金具（２Ｂ）の先端部分に当該分草杆元金具に対して伸縮調整自在に連結された所定長さのパイプで構成され、先端連結板（２Ｄ）は、分草杆本体（２Ｃ）の先端に作業機の進行方向をもって垂直状態で取付けられた側面からみて前後に長い略方形の基板（２Ｄ１）と、基板（２Ｄ１）の上辺先端部に上方に向け突設された突出部（２Ｄ２）と、突出部（２Ｄ２）の上辺に形成したスピンバー支持用傾斜辺（２Ｄ２１）と、基板（２Ｄ１）の尖端下隅に形成した反転スピンバーの固定用傾斜辺（２Ｄ１１）から構成され、ガイド棒（２Ｅ）は、先端連結板（２Ｄ）の後上方部分に所定長さの棒（２Ｅ１）の先端が第１支点ピン（Ｐ１）と平行な第２支点ピン（Ｐ２）で連結され、後端がガイド受け（２Ａ２１）に貫入されたのち、昇降調整金具（２Ｅ２）で固定され、分草補助ガイド棒（２Ｆ）は、先端連結板（２Ｄ）より後方に作物を支えながら導いて行くガイド棒単体（２Ｆ１、２Ｆ１）で構成され、
スピンバー部（３）は、スピンバー本体（３Ａ）とスピンバー調節具（３Ｂ）から構成され、スピンバー本体（３Ａ）は、針状の軸に構成されたスピンバー（３Ａ１）と、スピンバーの下面に先端連結板（２Ｄ）を左右から挟むよう垂下状態で取付けられた側面三角形状の板に構成された揺動板（３Ａ２）と、この揺動板と先端連結板（２Ｄ）とを連結する第１支点ピン（Ｐ１）と平行な第３支点ピン（Ｐ３）から構成され、スピンバー調節具（３Ｂ）は、先端がスピンバー本体（３Ａ）の揺動板（３Ａ２）に連結されている引張コイルスプリング（３Ｂ１）と、引張コイルスプリングの後端に連結された調節ボルト（３Ｂ２）と、調節ボルトをナットで固定する分草杆本体（２Ｃ）の側壁後方に突設された受金具（３Ｂ３）から構成され、スピンバー調節具（３Ｂ）の引張コイルスプリング（３Ｂ１）が伸張しない時は、スピンバー（３Ａ１）は分草杆部（２）におけるガイド棒（２Ｅ）とほぼ平行な状態である前方斜め下方に向け支持されていることを特徴とする植立茎稈作物の刈取機における分草杆の安全装置。
【請求項２】
分草杆元金具（２Ｂ）と分草杆本体（２Ｃ）とは、パイプ状に構成された分草杆本体に分草杆元金具を挿入し、分草杆本体の側面に設けた固定ボルト（２Ｃ１）で固定するよう構成されている請求項１記載の植立茎稈作物の刈取機における分草杆の安全装置。
【請求項３】
スピンバー支持用傾斜辺（２Ｄ２１）の角度は、地面に対して３０〜３５度程度である請求項１記載の植立茎稈作物の刈取機における分草杆の安全装置。
【発明の詳細な説明】
【０００１】
【発明の属する技術分野】
本発明は、植立茎稈作物の刈取機における分草杆の安全装置に関するものである。
詳しくは、直立茎稈の各条毎に対応する刈取機において、接地体を備えた刈取処理部の分草杆を個別に上下揺動自在に構成した状態で複数個左右に並列する刈取機構を有する収穫機の構造に係るものである。
【０００２】
【従来の技術】
従来、直立茎稈の各畦毎に対応する刈取機には接地体となる分草杆（デバイダー）が上下揺動自在に取付けられているが、この分草杆の先端には安全装置がない。
【０００３】
【発明が解決しようとする課題】
従来の技術で述べたものにあっては、下記のような問題点を有していた。
常に、接地状態を必要とする圃場（作物が倒状し地を這うようにできているような圃場）において、機体がバウンドしたり、畑に凹凸の多い所では分草杆が上下に揺動自在とは云え追従できず、地中に突き刺さり分草杆を破損するばかりか、刈取機本体の破損を生じることも少なからず発生している。
加えて、地上を這うようになっている作物が分草杆の下をくぐり刈取られなく機械に詰まってしまうことが多く、作業能率が非常に悪くなっていた。
【０００４】
本発明は、従来の技術の有するこのような問題点に鑑みなされたものであり、その目的とするところは、上述の問題を解決できるものを提供しようとするものである。
【０００５】
【課題を解決するための手段】
上記目的を達成するために、本発明は下記のようになるものである。
【０００６】
請求項１記載の発明は、分草杆部２とスピンバー部３から構成され、
Ａ．分草杆部２は、分草杆取付け縦金具２Ａと、分草杆元金具２Ｂと、分草杆本体２Ｃと、先端連結板２Ｄと、ガイド棒２Ｅと、分草補助ガイド棒部２Ｆから構成され、
分草杆取付け縦金具２Ａは、作業機２Ａ１の先端中央に立設された取付け縦金具体２Ａ２と、この取付け縦金具体の上端に設けられたガイド受け２Ａ２１から構成され、分草杆元金具２Ｂは、取付け縦金具体２Ａ２の下端に、作業機の進行方向に延出するよう構成された所定長さの棒２Ｅ１を当該作業機の進行方向と直交する方向の第１支点ピンＰ１で連結して構成され、分草杆本体２Ｃは、分草杆元金具２Ｂの先端部分に当該分草杆元金具に対して伸縮調整自在に連結された所定長さのパイプで構成され、先端連結板２Ｄは、分草杆本体２Ｃの先端に作業機の進行方向をもって垂直状態で取付けられた側面からみて前後に長い略方形の基板２Ｄ１と、基板２Ｄ１の上辺先端部に上方に向け突設された突出部２Ｄ２と、突出部２Ｄ２の上辺に形成したスピンバー支持用傾斜辺２Ｄ２１と、基板２Ｄ１の尖端下隅に形成した反転スピンバーの固定用傾斜辺２Ｄ１１から構成され、ガイド棒２Ｅは、先端連結板２Ｄの後上方部分に所定長さの棒２Ｅ１の先端が第１支点ピンＰ１と平行な第２支点ピンＰ２で連結され、後端がガイド受け２Ａ２１に貫入されたのち、昇降調整金具２Ｅ２で固定され、分草補助ガイド棒２Ｆは、先端連結板２Ｄより後方に作物を支えながら導いて行くガイド棒単体２Ｆ１、２Ｆ１で構成され、
Ｂ．スピンバー部３は、スピンバー本体３Ａとスピンバー調節具３Ｂから構成され、
スピンバー本体３Ａは、針状の軸に構成されたスピンバー３Ａ１と、スピンバーの下面に先端連結板２Ｄを左右から挟むよう垂下状態で取付けられた側面三角形状の板に構成された揺動板３Ａ２と、この揺動板と先端連結板２Ｄとを連結する第１支点ピンＰ１と平行な第３支点ピンＰ３から構成され、スピンバー調節具３Ｂは、先端がスピンバー本体３Ａの揺動板３Ａ２に連結されている引張コイルスプリング３Ｂ１と、引張コイルスプリングの後端に連結された調節ボルト３Ｂ２と、調節ボルトをナットで固定する分草杆本体２Ｃの側壁後方に突設された受金具３Ｂ３から構成され、スピンバー調節具３Ｂの引張コイルスプリング３Ｂ１が伸張しない時は、スピンバー３Ａ１は分草杆部２におけるガイド棒２Ｅとほぼ平行な状態である前方斜め下方に向け支持されていることを特徴とするものである。
【０００７】
請求項２記載の発明は、請求項１記載の発明において、分草杆元金具２Ｂと分草杆本体２Ｃとは、パイプ状に構成された分草杆本体に分草杆元金具を挿入し、分草杆本体の側面に設けた固定ボルト２Ｃ１で固定するよう構成されていることを特徴とするものである。
【０００８】
請求項３記載の発明は、請求項１記載の発明において、スピンバー支持用傾斜辺２Ｄ２１の角度は、地面に対して３０〜３５度程度であることを特徴とするものである。
【０００９】
【発明の実施の形態】
以下、本発明の実施の形態を実施例にもとづき図面を参照して説明する。
【００１０】
１は本発明の植立茎稈作物の刈取機における分草杆の安全装置で、分草杆部２とスピンバー部３から構成されている。
【００１１】
Ａ．分草杆部２は、分草杆取付け縦金具２Ａと、分草杆元金具２Ｂと、分草杆本体２Ｃと、先端連結板２Ｄと、ガイド棒２Ｅと、分草補助ガイド棒部２Ｆから構成されている。
ａ．分草杆取付け縦金具２Ａは、公知の作業機２Ａ１の先端中央に立設された取付け縦金具体２Ａ２と、この取付け縦金具体の上端に設けられたガイド受け２Ａ２１から構成されている。
ｂ．分草杆元金具２Ｂは、取付け縦金具体２Ａ２の下端に、作業機の進行方向に延出するよう構成された所定長さの棒２Ｅ１を当該作業機の進行方向と直交する方向の第１支点ピンＰ１で連結して構成されている。
ｃ．分草杆本体２Ｃは、分草杆元金具２Ｂの先端部分に当該分草杆元金具に対して固定的あるいは伸縮調整自在に連結された所定長さのパイプで構成されている。
この場合、分草杆元金具２Ｂと分草杆本体２Ｃの伸縮調整自在の構造は、パイプ状に構成された分草杆本体に分草杆元金具を挿入し、分草杆本体の側面に設けた固定ボルト２Ｃ１で固定するよう構成されている。
【００１２】
ｄ．先端連結板２Ｄは、分草杆本体２Ｃの先端に作業機の進行方向をもって垂直状態で取付けられた側面からみて前後に長い略方形の基板２Ｄ１と、基板２Ｄ１の上辺先端部に上方に向け突設された突出部２Ｄ２と、突出部２Ｄ２の上辺に形成したスピンバー支持用傾斜辺２Ｄ２１と、基板２Ｄ１の尖端下隅に形成した反転スピンバーの固定用傾斜辺２Ｄ１１から構成されている。
なお、このスピンバー支持用傾斜辺２Ｄ２１の角度は、地面に対して３０〜３５度程度が好適である。
ｅ．ガイド棒２Ｅは、先端連結板２Ｄの後上方部分に所定長さの棒２Ｅ１の先端が第１支点ピンＰ１と平行な第２支点ピンＰ２で連結され、後端がガイド受け２Ａ２１に貫入されたのち、昇降調整金具２Ｅ２で固定されている。
ｆ．分草補助ガイド棒２Ｆは、先端連結板２Ｄより後方に作物を支えながら導いて行く数本（図示では２本）のガイド棒単体２Ｆ１、２Ｆ１で構成されている。
【００１３】
Ｂ．スピンバー部３は、スピンバー本体３Ａとスピンバー調節具３Ｂから構成されている。
ａ．スピンバー本体３Ａは、針状の軸に構成されたスピンバー３Ａ１と、スピンバーの下面に先端連結板２Ｄを左右から挟むよう垂下状態で取付けられた側面三角形状の板に構成された揺動板３Ａ２と、この揺動板と先端連結板２Ｄとを連結する第１支点ピンＰ１と平行な第３支点ピンＰ３から構成されている。
この結果、スピンバー３Ａ１の下面は、スピンバー支持用傾斜辺２Ｄ２１の上面に当接した状態で支持されていることになる。
ｂ．スピンバー調節具３Ｂは、先端がスピンバー本体３Ａの揺動板３Ａ２に連結されている引張コイルスプリング３Ｂ１と、引張コイルスプリングの後端に連結された調節ボルト３Ｂ２と、調節ボルトをナットで固定する分草杆本体２Ｃの側壁後方に突設された受金具３Ｂ３から構成されている。
ｃ．スピンバー調節具３Ｂの引張コイルスプリング３Ｂ１が伸張しない時は、スピンバー３Ａ１は分草杆部２におけるガイド棒２Ｅとほぼ平行な状態、すなわち、前方斜め下方に向け支持されている。
【００１４】
【発明の効果】
本発明は、上述の通り構成されているので次に記載する効果を奏する。
１．分草杆の先端部の進行方向に対する反力を利用し、先端部が地中に突き刺さろうとする時に、先端がそれを押さえている引張コイルスプリングを伸ばして、くの字状に反転固定されるよう構成されたスピンバーにより地中へ突き刺さる状態を避けると同時に、分草杆を上方へ押し上げ地上より離す作用を起こすことができる。
この結果、分草杆を地中に突き刺し、分草杆、ひいては刈取機本体を破損することがなくなる。
分草杆を更に上方に上げ地上から確実に離すと、スピンバーは引張コイルスプリングの作用により元の状態に復元することになる。
２．本発明の安全装置により圃場に激しい凹凸があっても、また、作物が縦横無尽に倒伏していてもスピンバーが働き地中に突き刺さることもなく、作物を起こし残して詰まらせることもなく、スムーズな作業ができる。
３．本発明のものは、豆類の収穫機を主体に発明したものであるが、圃場の如何によっては稲用コンバインのデバイダーにも有効と考えられ、また、ソバの収穫にも使用可能なものである。
４．このほか、安価に製造できる、部品点数が少ないので組立が容易である、経済的である、などの効果をも有するものである。
【図面の簡単な説明】
【図１】  全体の斜視図である。
【図２】  同上の分解斜視図である。
【図３】  要部の拡大側面図である。
【図４】  同上の１部を切欠いた拡大図である。
【図５】  スピンバー本体の作用を説明する拡大側面図である。
【図６】  同上の１部を切欠いた拡大図である。
【符号の説明】
１  植立茎稈作物の刈取機における分草杆の安全装置
２  分草杆部
３  スピンバー部
【図１】
0003683819.tif 000002
【図３】
0003683819.tif 000003
【図４】
0003683819.tif 000004
【図５】
0003683819.tif 000005
【図６】
0003683819.tif 000006
【図２】
0003683819.tif 000007